(57)【要約】【課題】無反射像の撮像を行えるカメラを、無反射像の色味が実際の対象物の色味からずれないように改良する。【解決手段】ビデオカメラは、第１光源１３３Ａを備える。第１光源１３３Ａからの照明光である第１照明光は第１偏光板１３２Ａで偏光化され、対象物に当たる。対象物からの像光からは、第１偏光板１３２Ａとその偏光の方向が直行する偏光板１３５を通過する際に、表面反射光が遮断される。したがって、撮像素子１３６が撮像する画像は無反射像となる。第１照明光には、第１偏光板１３２Ａと偏光板１３２Ｃによる消光比率が９０％以上となるような波長範囲の光のみが含まれている。【選択図】図１７
2014018439.tif 000002
【特許請求の範囲】
【請求項１】
撮像の対象となる対象物を、前記対象物の表面で反射した表面反射光のない無反射像となるように撮像することができるカメラであって、
撮像の対象となる対象物からの像光をとらえて撮像する撮像手段と、
前記無反射像が撮像されるときに前記対象物に対して照射される照明光である第１照明光を照射する第１光源と、
前記無反射像が撮像されるときに前記第１光源と前記対象物との間の前記第１照明光の光路上に配されるようになっている、前記第１光源からの照明光を直線偏光にする偏光板である第１偏光板と、
前記無反射像が撮像されるときに前記対象物と前記撮像手段との間の前記像光の光路上に配されるようになっている、前記第１偏光板とその偏光の向きが直交するようにされた偏光板である撮像用偏光板と、
を備えており、
前記第１光源からの第１照明光には、前記第１偏光板と前記撮像用偏光板による消光比率が９０％以上となるような波長範囲の光のみが含まれている、
カメラ。
【請求項２】
撮像の対象となる対象物を、前記無反射像となるように撮像できるとともに、前記対象物の表面で反射した表面反射光のある反射像となるようにも撮像することができるカメラであって、
前記反射像が撮像されるときに前記対象物に対して照射される照明光である第２照明光を照射する第２光源と、
前記第１光源と前記第２光源の一方を点灯させることにより、前記無反射像の撮像と前記反射像の撮像を切換える照明切換手段と、
を有する、
請求項１記載のカメラ。
【請求項３】
前記反射像が撮像されるときに前記第２光源と前記対象物との間の前記第２照明光の光路上に配されるようになっている、前記第２光源からの照明光を直線偏光にする、前記第１偏光板とその偏光の向きが直交するようにされた偏光板である第２偏光板を有する、
請求項２記載のカメラ。
【請求項４】
撮像の対象となる対象物を、前記無反射像となるように撮像できるとともに、前記対象物の表面で反射した表面反射光のある反射像となるようにも撮像することができるカメラであって、
前記第１偏光板を、前記第１光源から前記対象物までの光路上にある第１位置と前記第１光源から前記対象物までの光路上にない第２位置に位置させる偏光板移動手段を有する、
請求項２記載のカメラ。
【請求項５】
前記撮像手段は、前記対象物からの像光を捉えて撮像し、連続した多数のフレームのデータを有するビデオ信号を出力するものとされているとともに、
前記撮像手段が出力した前記ビデオ信号に含まれる多数の前記フレームについてのデータから、それに含まれるフレームを連続して見たユーザがそれを動画として認識できるようになっている、フレームの集合である第１フレーム群についてのデータと、それに含まれるフレームを連続して見たユーザがそれを動画として認識できるようになっている、前記第１フレーム群に含まれるフレームと重複しないフレームの集合である第２フレーム群についてのデータとを生成する、フレームデータ振分手段と、
前記第１フレーム群に含まれるフレームのデータを出力する第１出力手段と、
前記第２フレーム群に含まれるフレームのデータを出力する第２出力手段と、
を備えており、
前記照明切換手段は、前記第１フレーム群に含まれることになるフレームのデータを前記撮像手段が撮像しているときに前記第１照明光を、前記第２フレーム群に含まれることになるフレームのデータを前記撮像手段が撮像しているときに前記第２照明光をそれぞれ照射するように、前記第１光源と前記第２光源の一方を点灯させるような制御を行うようになっている、
請求項２記載のカメラ。
【請求項６】
前記撮像手段は、前記対象物からの像光を捉えて撮像し、連続した多数のフレームのデータを有するビデオ信号を出力するものとされているとともに、
前記撮像手段が出力した前記ビデオ信号に含まれる多数の前記フレームについてのデータから、それに含まれるフレームを連続して見たユーザがそれを動画として認識できるようになっている、フレームの集合である第１フレーム群についてのデータと、それに含まれるフレームを連続して見たユーザがそれを動画として認識できるようになっている、前記第１フレーム群に含まれるフレームと重複しないフレームの集合である第２フレーム群についてのデータとを生成する、フレームデータ振分手段と、
前記第１フレーム群に含まれるフレームのデータによる第１動画と、前記第２フレーム群に含まれるフレームのデータによる第２動画とを、所定のディスプレイが一画面に表示できるような動画についての動画データを生成する合成手段と、
前記合成手段が生成した動画データを出力する出力手段と、
を備えており、
前記照明切換手段は、前記第１フレーム群に含まれることになるフレームのデータを前記撮像手段が撮像しているときに前記第１照明光を、前記第２フレーム群に含まれることになるフレームのデータを前記撮像手段が撮像しているときに前記第２照明光をそれぞれ照射するように、前記第１光源と前記第２光源の一方を点灯させるような制御を行うようになっている、
請求項１記載のカメラ。
【請求項７】
前記第１光源には、特定の波長の光を射出する複数の発光体が含まれており、各発光体が射出する光の波長は、前記第１偏光板と前記撮像用偏光板による消光比率が９０％以上となるような波長範囲に含まれるようになっている、
請求項１〜６のいずれかに記載のカメラ。
【発明の詳細な説明】
【技術分野】
【０００１】
本発明は、撮像の対象となる対象物の表面からの反射光のない無反射像の撮像を行えるカメラに関する。
【背景技術】
【０００２】
撮像の対象となる対象物の表面からの反射光のない無反射像の撮像を行う技術が知られている。例えば、人の肌を観察する場合には、表面反射光のない艶消しの画像（無反射像）は肌の色や肌の内側の血管を非常に良く表現できるので、病変の状態の観察などに有用である。もちろん、艶のある一般的な画像（反射像）も、肌の凹凸を良く表現でき、病変の位置の確認等に有用ではあり、それとの組合せにより無反射像を用いるのも効果的ではあるが、肉眼での観察とは異なる対象を観察することができる無反射像はその価値が大きい。無反射像は人の肌の観察を行う場合のみならず、例えば、工業製品の検査などの用途でも有効である。
【０００３】
無反射像を撮像する場合、照明光には偏光を用いる。
照明光として偏光を用いて無反射像の撮像を行う場合には、撮像の対象となる対象物の表面で反射した場合（表面反射光）には偏光の状態をそのまま保ち、対象物の中に若干入ってから反射した場合（内部反射光）には偏光が崩れた状態となる、という偏光の性質を利用するのである。
以下、無反射像と反射像の双方の撮像を行えるカメラの構成について説明する。
例えば、対象物から撮像を行う撮像手段（例えば、フィルム、ＣＣＤ或いはＣＭＯＳ）までの間に対象物からの像光を透過させる偏光板である撮像用偏光板を配置する一方、２つの照明光用の光源を設ける。そして、一方の光源の前にはそれを透過して生じた直線偏光の向きが撮像用偏光板を通過して生じた直線偏光の向きと直交する（なお、本願では、２つの偏光板を通過して生じた直線偏光の向きが直交するような関係にある偏光板を、「偏光の向きが直交する偏光板」と記載することとし、２つの偏光板を通過して生じた直線偏光の向きが同じとなるような関係にある偏光板を、「偏光の向きが同じ偏光板」と記載することとし、他もそれに準ずる。）照明用偏光板を設け、他方の光源の前には偏光板を設けないようにする。
上述のようなカメラにおいて、上記一方の光源を点灯させると、そこから出て照明用偏光板で偏光となり対象物に当たった照明光のうち、偏光を保った表面反射光は撮像用偏光板で遮断され、偏光が崩れた内部反射光は少なくともその一部が撮像用偏光板を通過する。これにより、上記一方の光源を用いて撮像手段で撮像される画像（例えば、動画）は、表面反射光のない艶消しの画像（無反射像）となる。
他方、上記他方の光源を点灯させると、そこから出て偏光になることなく対象物に照射された照明光は、表面反射光も内部反射光も少なくともその一部が撮像用偏光板を通過するので、撮像手段で撮像される画像は表面反射光も含んだ一般的な画像（反射像）となる。なお、他方の光源の前に、撮像用偏光板と偏光の向きが直交しない（例えば、撮像用偏光板と偏光の向きが同じ）偏光板を設けた場合であっても、他方の光源を点灯させた場合に得られる画は、表面反射光も含んだ一般的な画像となる。
【先行技術文献】
【特許文献】
【０００４】
【特許文献１】特開２００５−１２２２０３
【特許文献２】特開２００７−１７９０８１
【特許文献３】特開平１１−３３２８３０
【特許文献４】特開平８−２５１４５７
【発明の概要】
【発明が解決しようとする課題】
【０００５】
上述の如きカメラは確かに、無反射像を撮像することができる。しかしながら、本願発明者は、無反射像の画質に満足できないと感じている。それは、カメラで撮像された無反射像の色味が、実際の対象物の色味（例えば、一般的な画像である反射像の色味）からずれてしまうことがある、という点にある。
【０００６】
本願発明者は、無反射像をカメラで撮像したときに無反射像の色味が実際の対象物の色味からずれる理由について研究を行い、その理由は、光源の前にある、従来のカメラにおける上述の照明用偏光板と、撮像手段の前にある上述の撮像用偏光板を抜けてくる光の中に、予期せぬものが含まれているからであるということに気がついた。
平行に配された２枚の偏光板は、その偏光方向が直交する場合には、理想的には、それら２枚の偏光板を通過しようとする光をすべて遮断する。しかしながら、実際には、可視領域のうちの特定の波長領域の光（例えば、可視領域のうちの両端部分の赤や紫の波長領域の光）は、その偏光方向が直交するようにして平行に配された２枚の偏光板を幾らかではあるが抜けて来てしまう。したがって、無反射像では、赤、紫或いはその近辺の波長領域の光が相対的に多くなってしまい、結果的に、その色見が対象物からずれてしまう。本願発明者は、紫に近い波長領域の光が多く撮像手段で捉えられることにより生じる、無反射像の色味が青色が強くなる現象を確認している。
【０００７】
可視領域の両端部分の赤や紫の波長領域の光が、その偏光方向が直交するようにして平行に配された２枚の偏光板を幾らかではあるが透過してしまうという現象は、偏光板の消光比率という概念を用いて以下のように記述することができる。
「消光比率」とは、２枚の平行に配した偏光板に対して垂直に光を入射させた場合における、「偏光方向を平行とした２枚の偏光板を透過する光の光量」を「偏光方向を垂直とした２枚の偏光板を透過する光の光量」で割り、１００を掛けた数値である。この数値が大きい程、その偏光方向が直交するようにして平行に配された２枚の偏光板を透過する光の量は０に近づく。ところで、この消光比率は、波長依存性がある。そして、一般的な偏光板の消光比率は、赤や紫という可視領域の両端付近の波長領域では小さく、可視領域の中心付近の波長領域では大きい。それ故、可視領域の両端部分の赤や紫の波長領域の光が、その偏光方向が直交するようにして平行に配された２枚の偏光板を幾らかではあるが透過してしまうという現象が起きるのである。
【０００８】
本願発明者は、可視領域の両端部分の赤や紫の波長領域の光が、その偏光方向が直交するようにして平行に配された２枚の偏光板を幾らかではあるが透過してしまうという現象を防止することにより、カメラで撮像された無反射像の色味を、実際の対象物の色味に近づけられるということを思い至った。
このような色味のずれを防止するために、僅かながらに実用されている技術として、可視領域のすべての波長領域の光に対して消光比率が非常に大きい偏光板を用いるというものがある。これであれば、可視領域の両端部分の赤や紫の波長領域の光が、その偏光方向が直交するようにして平行に配された２枚の偏光板を透過するということが生じにくいため、色味のずれを小さくできる。
しかしそのような特性を持つ偏光板は特殊なものであり、その価格が非常に高価である。
【０００９】
本発明は、以上の点に鑑みてなされたものであり、無反射像の撮像を行えるカメラを、それで撮像した無反射像の色味が実際の対象物の色味からずれないように改良すること、しかもその改良によるコスト上昇を抑えることをその課題とする。
【課題を解決するための手段】
【００１０】
本願発明者は、上述の課題を解決するために、以下のようなカメラを提案する。
本願のカメラは、撮像の対象となる対象物を、前記対象物の表面で反射した表面反射光のない無反射像となるように撮像することができるカメラである。このカメラは、撮像の対象となる対象物からの像光をとらえて撮像する撮像手段と、前記無反射像が撮像されるときに前記対象物に対して照射される照明光である第１照明光を照射する第１光源と、前記無反射像が撮像されるときに前記第１光源と前記対象物との間の前記第１照明光の光路上に配されるようになっている、前記第１光源からの照明光を直線偏光にする偏光板である第１偏光板と、前記無反射像が撮像されるときに前記対象物と前記撮像手段との間の前記像光の光路上に配されるようになっている、前記第１偏光板とその偏光の向きが直交するようにされた偏光板である撮像用偏光板と、を備えている。そして、このカメラの前記第１光源からの第１照明光には、前記第１偏光板と前記撮像用光板による消光比率が９０％以上となるような波長範囲の光のみが含まれている。
本願のカメラにおいては、偏光板は、ごく一般的なもので良い。つまり、例えば、可視領域のうちの両端部分の波長領域の光などの特定の波長領域の光については消光比率が相対的に小さいものであっても構わない。
他方、本願のカメラにおける前記第１光源からの第１照明光には、前記第１偏光板と前記撮像用偏光板による消光比率が９０％以上となるような波長範囲の光のみが含まれるようになっている。つまり、本願のカメラでは、特殊な偏光板を用いるよりもずっとコストの低い第１光源の工夫により、第１偏光板と撮像用偏光板によって得られる第１照明光に対する消光比率を高くするようにしている。
これにより、無反射像の撮像を行えるカメラを、コスト上昇を抑えつつ、それで撮像した無反射像の色味が実際の対象物の色味からずれないようなものにすることができる。
【００１１】
本願のカメラにおける第１照明光は、上述のように、第１偏光板と撮像用偏光板による消光比率が９０％以上となるような波長範囲の光のみが含まれるようになっている。その限りで、第１照明光は適宜選択できる。
第１照明光に含まれる光は、特定の波長についての単数或いは複数の輝線スペクトルを含むものであっても良いし、連続スペクトルを含むものであっても良い。
前記第１光源には、特定の波長の光を射出する複数の発光体が含まれており、各発光体が射出する光の波長は、前記第１偏光板と前記撮像用偏光板による消光比率が９０％以上となるような波長範囲に含まれるようになっていてもよい。これによれば、複数の輝線スペクトルを含む第１照明光を簡単に得られることになる。この場合の第１照明光は、複数の輝線スペクトルを含む白色光であっても構わない。
第１照明光、或いは各発光体が照射する光の波長は、上述したように、前記第１偏光板と前記撮像用偏光板による消光比率が９０％以上となるような波長範囲に含まれれば良いが、より好ましくは消光比率が９５％以上、更に好ましくは消光比率が９８％以上であるのが好ましい。
【００１２】
本願のカメラは、撮像の対象となる対象物を、前記無反射像となるように撮像できるとともに、前記対象物の表面で反射した表面反射光のある反射像となるようにも撮像することができるカメラであってもよい。この場合、カメラは、前記反射像が撮像されるときに前記対象物に対して照射される照明光である第２照明光を照射する第２光源と、前記第１光源と前記第２光源の一方を点灯させることにより、前記無反射像の撮像と前記反射像の撮像を切換える照明切換手段と、を有するものとすることができる。照明切換手段は、自動的に、或いはユーザの操作によって任意に、第１光源と第２光源の一方を選択的に点灯させるようにすることができる。
第２光源が存在する上述のカメラでは、前記反射像が撮像されるときに前記第２光源と前記対象物との間の前記第２照明光の光路上に配されるようになっている、前記第２光源からの照明光を直線偏光にする、前記第１偏光板とその偏光の向きが直交するようにされた偏光板である第２偏光板を有してもよい。第２偏光板は、反射像を撮像するために必ずしも必須なものではないが、第１光源と第２光源が同じものである場合、第１偏光板を透過した第１照明光と、第２偏光板を透過した第２照明光の明るさを揃えるためには有用である。
【００１３】
上述のように、本願のカメラは、撮像の対象となる対象物を、前記無反射像となるように撮像できるとともに、前記対象物の表面で反射した表面反射光のある反射像となるようにも撮像することができるカメラであってもよい。この場合、カメラは、前記第１偏光板を、前記第１光源から前記対象物までの光路上にある第１位置と前記第１光源から前記対象物までの光路上にない第２位置に位置させる偏光板移動手段を有してもよい。こうすれば第１光源と第２光源という２つの光源が不要になる。
【００１４】
本願のカメラは、次のようなものとすることができる。
本願カメラの撮像手段は、前記対象物からの像光を捉えて撮像し、連続した多数のフレームのデータを有するビデオ信号を出力するものとされていてもよい。その場合本願のカメラは、前記撮像手段が出力した前記ビデオ信号に含まれる多数の前記フレームについてのデータから、それに含まれるフレームを連続して見たユーザがそれを動画として認識できるようになっている、フレームの集合である第１フレーム群についてのデータと、それに含まれるフレームを連続して見たユーザがそれを動画として認識できるようになっている、前記第１フレーム群に含まれるフレームと重複しないフレームの集合である第２フレーム群についてのデータとを生成する、フレームデータ振分手段と、前記第１フレーム群に含まれるフレームのデータを出力する第１出力手段と、前記第２フレーム群に含まれるフレームのデータを出力する第２出力手段と、を備えており、前記照明切換手段は、前記第１フレーム群に含まれることになるフレームのデータを前記撮像手段が撮像しているときに前記第１照明光を、前記第２フレーム群に含まれることになるフレームのデータを前記撮像手段が撮像しているときに前記第２照明光をそれぞれ照射するように、前記第１光源と前記第２光源の一方を点灯させるような制御を行うようになっていてもよい。
このようにすると、一つのビデオカメラで、略同じ位置の略同時に撮像された２つの動画を得られるようになるから、通常の画像を単純に人間の目で観察するのに比べ、得られる情報量が格段に多くなる。例えば、医療分野に応用したときには、無反射像と反射像を医師が同時に見ることにより、診断の精度が著しく向上することが期待できる。
【００１５】
同様に、本願の撮像手段は、前記対象物からの像光を捉えて撮像し、連続した多数のフレームのデータを有するビデオ信号を出力するものとされていてもよい。そして、この場合本願のカメラは、前記撮像手段が出力した前記ビデオ信号に含まれる多数の前記フレームについてのデータから、それに含まれるフレームを連続して見たユーザがそれを動画として認識できるようになっている、フレームの集合である第１フレーム群についてのデータと、それに含まれるフレームを連続して見たユーザがそれを動画として認識できるようになっている、前記第１フレーム群に含まれるフレームと重複しないフレームの集合である第２フレーム群についてのデータとを生成する、フレームデータ振分手段と、前記第１フレーム群に含まれるフレームのデータによる第１動画と、前記第２フレーム群に含まれるフレームのデータによる第２動画とを、所定のディスプレイが一画面に表示できるような動画についての動画データを生成する合成手段と、前記合成手段が生成した動画データを出力する出力手段と、を備えており、前記照明切換手段は、前記第１フレーム群に含まれることになるフレームのデータを前記撮像手段が撮像しているときに前記第１照明光を、前記第２フレーム群に含まれることになるフレームのデータを前記撮像手段が撮像しているときに前記第２照明光をそれぞれ照射するように、前記第１光源と前記第２光源の一方を点灯させるような制御を行うようになっているものとすることができる。
【図面の簡単な説明】
【００１６】
【図１】本発明の第１実施形態によるビデオカメラを概略的に示す図。
【図２】図１に示したビデオカメラの撮像部を拡大して模式的に示した図。
【図３】図１に示したビデオカメラのビデオプロセッサボックスを拡大して模式的に示した図。
【図４】図１に示したビデオカメラの撮像素子が生成するビデオ信号を説明するための波形図。
【図５】図１に示したビデオカメラで撮像される２種類の画像の一方の説明のための模式図。
【図６】図１に示したビデオカメラで撮像される２種類の画像の他方の説明のための模式図。
【図７】変形例１のビデオカメラにおいて撮像素子が生成したビデオ信号から、第１フレーム群のデータと第２フレーム群のデータを生成する方法を概念的に示す波形図。
【図８】変形例２のビデオカメラにおいて撮像素子が生成したビデオ信号から、第１フレーム群のデータと第２フレーム群のデータを生成する方法を概念的に示す波形図。
【図９】変形例３のビデオカメラで撮像される２種類の画像の一方の説明のための模式図。
【図１０】変形例３のビデオカメラで撮像される２種類の画像の他方の説明のための模式図。
【図１１】変形例４のビデオカメラの撮像部を拡大して模式的に示した図。
【図１２】変形例５のビデオカメラの撮像部の一部を拡大して模式的に示した図。
【図１３】変形例６のビデオカメラの撮像部を拡大して模式的に示した図。
【図１４】本発明の第２実施形態によるビデオカメラを概略的に示す図。
【図１５】図１４に示したビデオカメラのビデオプロセッサボックスを拡大して模式的に示した図。
【図１６】図１４に示したビデオカメラを用いてディスプレイに表示される画像を模式的に示した図。
【図１７】本発明の第３実施形態によるビデオカメラを概略的に示す図。
【発明を実施するための形態】
【００１７】
以下、本発明の第１〜第３実施形態を、図面を参照しながら詳細に説明する。
各実施形態（及びその変形例）の説明において、重複する対象には同じ符号を付すものとし、重複する説明は場合により省略するものとする。
また、各実施形態、各変形例に記載の内容は、他の実施形態又は変形例に適用できない合理的な理由がない限り、他の実施形態又は変形例にも適用可能である。
【００１８】
≪第１実施形態≫
図１に、この実施形態におけるカメラ（ビデオカメラ）の模式図を示す。
この実施形態のビデオカメラは、内視鏡１００である。この実施形態における内視鏡１００は医療用内視鏡であるが、工業用内視鏡であっても構わない。この実施形態の内視鏡１００は、２台のディスプレイであるディスプレイＤ１、ディスプレイＤ２と、ケーブルＣ１、ケーブルＣ２でそれぞれ接続して用いられる。
【００１９】
内視鏡１００は、その全体的な構成は、従来のものと変わらない。
内視鏡１００は、スコープ部１１０と、ビデオプロセッサボックス１２０とを備えている。
【００２０】
スコープ部１１０は、少なくともその先端側が患者の体内に挿入される。それが可能な程度にスコープ部１１０は細く、また、柔軟で曲折可能とされている。スコープ部１１０はこの実施形態では断面円筒形であり、例えば樹脂でできている。スコープ部１１０の基端は、ビデオプロセッサボックス１２０に着脱自在に接続されている。
スコープ部１１０の先端には、撮像を行う撮像部１３０が設けられている。
【００２１】
撮像部１３０は、図２に示したように構成されている。
撮像部１３０は、ケース１３１に囲まれている。ケース１３１は、この限りではないがスコープ部１１０と同径の断面円形であり、またこの限りではないが樹脂製である。ケース１３１の先端面には、後述する第１光源１３３Ａからの光を撮像の対象となる対象物に照射できるようにするための第１孔１３１Ａと、後述する第２光源１３３Ｂからの光を撮像の対象となる対象物に照射できるようにするための第２孔１３１Ｂと、対象物からの像光を後述する撮像素子に導くための第３孔１３１Ｃとが設けられており、ケース１３１の後端面には、後述する信号線１３７Ａを通過させるための孔１３１Ｄが設けられている。なお、孔１３１Ｄを通過するのは信号線１３７Ａのみならず、後述する撮像素子１３６に電源を供給するための電源線なども存在するが、周知であることもあり、図示、説明とも省略する。
第１孔１３１Ａ、第２孔１３１B 、第３孔１３１Ｃ、孔１３１Ｄはいずれも、その大きさ、形状は上述した役割が担保される限り特に制限はない。この実施形態ではいずれも適当な大きさの円形とされている。
第１孔１３１Ａにはそれを透過した光を直線偏光にする第１偏光板１３２Ａが設けられている。第１偏光板１３２Ａは、内視鏡１００の使用中に患者の体液等がケース１３１内に入り込まないように、第１孔１３１Ａを少なくとも水密に覆っている。
第２孔１３１Ｂにはそれを透過した光の偏光状態に影響を与えない透明な封止板１３２Ｂが設けられている。封止板１３２Ｂは、第２孔１３１Ｂを少なくとも水密に覆っている。
第３孔１３１Ｃにはそれを透過した光を直線偏光にする、本願の撮像用偏光板に相当する偏光板１３２Ｃが設けられている。偏光板１３２Ｃは、第３孔１３１Ｃを少なくとも水密に覆っている。偏光板１３２Ｃは、その偏光方向が第１偏光板１３２Ａの偏光方向と直交している。
【００２２】
第１孔１３１Ａのやや後端側には、第１光源１３３Ａが設けられている。第１光源１３３Ａは、第１孔１３１Ａを通して、対象物の撮像に必要な照明光を照射するようになっている。第１光源１３３Ａが照射する照明光は当初は自然光である。この照明光は、第１偏光板１３２Ａを通過して、偏光板１３２Ｃと直交する方向の直線偏光となる。偏光となったこの照明光が第１照明光である。
第２孔１３１Ｂのやや後端側には、第２光源１３３Ｂが設けられている。第２光源１３３Ｂは、第２孔１３１Ｂを通して、対象物の撮像に必要な照明光を照射するようになっている。第２光源１３３Ｂが照射する照明光は当初は自然光である。この照明光は、封止板１３２Ｂを通過しても偏光化されない。この照明光が第２照明光である。
【００２３】
第１光源１３３Ａと第２光源１３３Ｂはともに、適当なタイミングで点灯、消灯を繰り返すようになっている。第１光源１３３Ａと第２光源１３３Ｂは選択的に点灯される。つまり、両者が同時に点灯することはなく、第１光源１３３Ａと第２光源１３３Ｂは交互に点灯することとなる。もっとも、第１光源１３３Ａが消灯してから第２光源１３３Ｂが点灯するまでの間、又は第２光源１３３Ｂが消灯してから第１光源１３３Ａが点灯するまでの間には、時間的に隙間が空いても構わない。
第１光源１３３Ａと第２光源１３３Ｂの点灯、消灯は、照明切換部１３４が行う。照明切換部１３４は、第１光源１３３Ａと第２光源１３３Ｂのそれぞれに、信号線１３４Ａ、１３４Ｂで接続されている。照明切換部１３４は、信号線１３４Ｃにて接続された、後述する第２垂直同期信号検出部１３７から送られてくる信号に基づいて、第１光源１３３Ａと第２光源１３３Ｂの点灯、消灯の制御を行うが、かかる制御の詳細については後述する。
【００２４】
第３孔１３１Ｃのやや後端側には、レンズ１３５が設けられており、レンズ１３５の後端側には、撮像素子１３６が設けられている。レンズ１３５は拡大レンズであり、対象物からの像光を撮像素子１３６に結像させる。レンズ１３５は図示されたように一枚であることを要せず、複数枚のレンズから構成されていてもよい。
撮像素子１３６は、例えばＣＣＤ或いはＣＭＯＳであり、対象物からの像光を撮像し、ビデオ信号を生成するようになっている。撮像素子１３６は、ビデオ信号を出力するための回路を含んでいる。このビデオ信号は、一般的なものであり、例えばＶＢＳ信号である。つまり、撮像素子１３６となるＣＣＤ、ＣＭＯＳなどは一般的なもので良い。この実施形態の撮像素子１３６は、プログレッシブ方式の描画をディスプレイＤ１、Ｄ２にさせることができるようなビデオ信号を出力する。
ビデオ信号は、図４にｖで示したように、一定の時間ごとに信号が繰り返される。この信号一つ一つが、１フレーム分の画像データに対応している。なお、図４では、一つ一つの信号を矩形波で表現しているが、実際の信号が矩形波であるとは限らないことは当然である。また、ビデオ信号には、これには限られないが多くの場合はそれに重畳される形で、ｖｓｙｎｃで示されたような垂直同期信号が含まれている。図４では、簡単のために、ビデオ信号と垂直同期信号を別に描いている。垂直同期信号は、１フレーム分の画像信号の終わりのタイミングを示す信号であり、この実施形態ではこれには限られないが、その立ち上がりのタイミングで１フレームの信号の最後の瞬間を示すものとなっている。なお、この実施形態では、垂直同期信号は、撮像素子１３６の中に含まれた図示を省略の垂直同期信号を生成するための手段によって生成される。
ビデオ信号は、撮像素子１３６と信号線１３６Ａで接続された第２垂直同期信号検出部１３７に送られるようになっている。
【００２５】
第２垂直同期信号検出部１３７は、撮像素子１３６から受付けたビデオ信号から、垂直同期信号を検出するようになっている。第２垂直同期信号検出部１３７が垂直同期信号を検出したタイミングは、信号線１３４Ｃを介して照明切換部１３４に伝えられるようになっている。
照明切換部１３４は第２垂直同期信号検出部１３７から伝えられたこのタイミングに基づいて、第１光源１３３Ａと第２光源１３３Ｂの点灯、消灯の制御を行う。
ビデオ信号は、また、第２垂直同期信号検出部１３７を通過して、信号線１３７Ａを介して、ビデオプロセッサボックス１２０に送られるようになっている。
【００２６】
ビデオプロセッサボックス１２０は、図３に示されたように構成されている。
ビデオプロセッサボックス１２０は、ケース１２１を備えている。ケース１２１は、これには限られないが樹脂製であり、この実施形態では直方体形状である。ケース１２１にはスコープ部１１０が接続されており、信号線１３７Ａが引き込まれている。ケース１２１には、第１出力端子１２１Ａと第２出力端子１２１Ｂが設けられている。第１出力端子１２１ＡはディスプレイＤ１と、第２出力端子１２１ＢはディスプレイＤ２と、ケーブルであるケーブルＣ１、ケーブルＣ２でそれぞれ接続される。ケース１２１には、また、信号線１３７Ａをその内部に引き込むための孔１２１Ｃが設けられている。
【００２７】
ケース１２１の中には、第１垂直同期信号検出部１２２が設けられている。第１垂直同期信号検出部１２２は、信号線１３７Ａと接続され信号線１３７Ａを介して受取ったビデオ信号から、第２垂直同期信号検出部１３７と同じように垂直同期信号を検出するようになっている。第１垂直同期信号検出部１２２が垂直同期信号を検出したタイミングは、第１垂直同期信号検出部１２２と信号線１２２Ａを介して接続された出力制御部１２３に伝えられるようになっている。
【００２８】
出力制御部１２３は、また、第１垂直同期信号検出部１２２と信号線１２２Ｂで接続されており、信号線１２２Ｂを介してビデオ信号を受取るようになっている。
出力制御部１２３は、また、信号線１２３Ａを介して第１出力端子１２１Ａと、信号線１２３Ｂを介して第２出力端子１２１Ｂとそれぞれ接続されている。出力制御部１２３は、ビデオ信号中の各矩形波のうちのどれに含まれるデータを第１出力端子１２１ＡからディスプレイＤ１に、また、ビデオ信号中の各矩形波のうちのどれに含まれるデータを第２出力端子１２１ＢからディスプレイＤ２に出力するかの制御、つまり矩形波をどのように振分けるかという制御を行う。これらデータのうち第１出力端子１２１Ａへ向かうものは、信号線１２３Ａを通って、第２出力端子１２１Ｂへ向かうものは、信号線１２３Ｂを通って、それぞれ第１出力端子１２１Ａ又は第２出力端子１２１Ｂへ向かう。
なお、以下の関係は逆でも構わないが、この実施形態では、第１出力端子１２１Ａから出力されるのが第１フレーム群のフレームのデータであり、第２出力端子１２１Ｂから出力されるのが第２フレーム群のデータである。第１フレーム群のフレームのデータ、第２フレーム群のフレームのデータとも、それに含まれるフレームのデータによってディスプレイＤ１又はディスプレイＤ２に表示されたフレームを連続してみたユーザがそれを動画として認識できるようになっている。また、第１フレーム群のフレームのデータに含まれるデータに対応するフレームと、第２フレーム群のフレームのデータに含まれるデータに対応するフレームには重複するものがないようになっている。
出力制御部１２３は、ビデオ信号中のどの矩形波に対応するデータを第１フレーム群のフレームのデータに含め、どの矩形波に対応するデータを第２フレーム群のフレームのデータに含めるかを、第１垂直同期信号検出部１２２から伝えられた、第１垂直同期信号検出部１２２が垂直同期信号を検出した上述のタイミングに基づいて、制御する。その制御方法については、後述する。
出力制御部１２３は、２つのメモリ１２６Ａ、１２６Ｂを備えている。メモリ１２６Ａ、１２６Ｂはそれぞれ、第１フレーム群のフレームのデータと第２フレーム群のフレームのデータに振分けられた後の、ディスプレイＤ１、Ｄ２に表示される画像についての最新の１フレーム分のデータを、次のフレームのデータが来るまで保持するものである。
【００２９】
なお、信号線１２３Ａからは信号線１２３Ａ１が、信号線１２３Ｂからは信号線１２３Ｂ１がそれぞれ分岐しており、信号線１２３Ａ１と、信号線１２３Ｂ１はともに、記録部１２４に接続されている。記録部１２４は、ハードディスクドライブ、ＲＡＭなどのビデオプロセッサボックス１２０に内蔵の記録媒体か、或いはＤＶＤ、メモリカードなどのビデオプロセッサボックス１２０に対して着脱自在な記録媒体を含んでいる。記録部１２４は、信号線１２３Ａ１を介して受取った第１フレーム群のフレームのデータと、信号線１２３Ｂ１を介して受取った第２フレーム群のフレームのデータとを、別個にそれぞれ記録する。
記録部１２４には、また、記録部１２４に記録された第１フレーム群のフレームのデータを信号線１２３Ａ１、信号線１２３Ａを介して第１出力端子１２１Ａから出力する制御、及び記録部１２４に記録された第２フレーム群のフレームのデータを信号線１２３Ｂ１、信号線１２３Ｂを介して第２出力端子１２１Ｂから出力する制御を行う記録制御部１２５が接続されている。これにより、記録部１２４に記録された第１フレーム群のフレームのデータ、及び第２フレーム群のフレームのデータは、ビデオカメラでの撮像が行なわれた後のユーザが希望した任意の時に、ユーザが希望するディスプレイに出力できるようになっている。かかる出力は、例えば、ビデオプロセッサボックス１２０に設けられているかビデオプロセッサボックス１２０に接続されている所定の入力装置（スイッチ、テンキー、キーボード等）の操作により記録制御部１２５が行う。なお、記録制御部１２５は、記録部１２４に第１フレーム群のフレームのデータ、及び第２フレーム群のフレームのデータを記録させるか否かの制御を行うようになっていても良い。そのような制御を記録制御部１２５が行なわない場合には、記録部１２４は、常に第１フレーム群のフレームのデータ、及び第２フレーム群のフレームのデータを記録するようになっていてもよい。
なお、記録部１２４が可搬の記録媒体を含んでいるのであれば、ユーザはその可搬の記録媒体に記録された第１フレーム群のフレームのデータ又は第２フレーム群のフレームのデータを、そのデータを可搬の記録媒体から読み取り可能な機器（例えば、適当な動画再生装置やパーソナルコンピュータ）と接続した所望のディスプレイで再生することができる。
【００３０】
次に、この内視鏡１００の使用方法、及び動作について説明する。
内視鏡１００を用いるには、スコープ部１１０を患者の体内に挿入する。これには限られないが、この実施形態では、スコープ部１１０の先端の撮像部１３０が患者の胃に届くまで、口から食道を経て胃まで、スコープ部１１０を挿入することとする。そして、スコープ部１１０を胃まで挿入しながら、撮像が行なわれる。撮像の対象となるのは、食道、胃の内表面であり、これらが撮像の対象となる対象物となる。
【００３１】
撮像部１３０は、対象物を撮像する。
より詳細には、撮像部１３０内の撮像素子１３６が、第３孔１３１Ｃに嵌められた偏光板１３２Ｃとレンズ１３５を介して対象物から来る像光を撮像する。
第１光源１３３Ａと、第２光源１３３Ｂとは交互に点灯、消灯を繰り返す。撮像素子１３６が撮像を行うときには、第１光源１３３Ａ、第２光源１３３Ｂのいずれかが点灯している。第１光源１３３Ａと、第２光源１３３Ｂが点灯しているときに撮像素子１３６で撮像される画像は以下のようなものとなる。
【００３２】
まず、第１光源１３３Ａが点灯している場合には、図５に示したような像光が撮像される。なお、図５（Ａ）は対象物の表面で反射する表面反射光を、図５（Ｂ）は対象物の表面から若干対象物に入って反射する内部反射光の振る舞いを示している。また、太線の○印の中に引かれた直線は当該部分における照明光又は像光の偏光の方向を示しており、○印の中に四方八方に線が引かれているのは当該部分における照明光又は像光の偏光が乱れている（例えば自然光化している。）ことを示している。以下も同様である。
第１光源１３３Ａから出た照明光は、第１偏光板１３２Ａを通過する。なお、第１偏光板１３２Ａの偏光の向きは便宜上斜線の向きに等しいものとする。以下も同様である。第１偏光板１３２Ａを通過すると、照明光は、左右方向に振動する直線偏光になる。ここまでは、図５（Ａ）、（Ｂ）で共通である。
第１偏光板１３２Ａを通過した照明光である第１照明光は、対象物Ｘに当たり、対象物Ｘからの像光となる。対象物Ｘの表面で反射した第１照明光は、その偏光状態が維持されたままである。この像光は、第１偏光板１３２Ａと偏光の向きが直交する偏光板１３２Ｃに遮断され、撮像素子１３６には届かない（図５（Ａ））。他方、対象物Ｘの中に若干入り込んで反射してきた像光は、その偏光状態が乱れている。この像光は、その中に含まれる偏光板１３２Ｃと偏光の方向が一致する成分が偏光板１３２Ｃを通過するので、少なくともその半分程度が偏光板１３２Ｃを通過する。
結果として、第１光源１３３Ａが点灯しているときは、表面反射光のない対象物の艶消しの画像（無反射像）が得られることになる。
なお、この実施形態では、第１光源１３３Ａと、第２光源１３３Ｂは、内視鏡１００の用途を考えると白色光を照明光として照射するものであることが好ましい。この実施形態における、第１光源１３３Ａと、第２光源１３３Ｂのうち少なくとも第１光源１３３Ａは、第１偏光板１３２Ａと、偏光板１３２Ｃを透過する光の消光比率が９０％以上となる波長領域に含まれる波長の光しか含んでいない。より好ましくは、この実施形態では、第１光源１３３Ａは、消光比率が９５％以上、より好ましくは光の消光比率が９８％以上、更に好ましくは、消光比率が略１００％となる波長領域に含まれる波長の光しか含んでいない。それは、例えば、第１光源１３３Ａを、そのような波長領域に含まれる光を発する微細な光源である発光体を複数集めてなるＬＥＤにより構成することにより実現できる。この場合、各発光体のそれぞれから出る光は、第１偏光板１３２Ａと、偏光板１３２Ｃによる消光比率が９０％以上、好ましくは、消光比率が９５％以上、より好ましくは光の消光比率が９８％以上、更に好ましくは、消光比率が略１００％となる波長領域に含まれる波長の光である。この場合の各発光体は１本の輝線スペクトルのみを含む極めて狭い波長範囲の光を照射するか、複数の輝線スペクトルを含む光を照射するものであってもよい。特定の幾つかの波長の光を混合した光を白色光か或いはそれに近い光として用いる（少なくとも人間の目にそう見せる）ことは可能であるが、上述のような第１光源１３３Ａを用いると、得られる動画における色の再現性が良くなり、色味のずれが生じにくくなる。なお、この実施形態では、第２光源１３３Ｂも第１光源１３３Ａと同じものとされている。
【００３３】
他方、第２光源１３３Ｂが点灯している場合には、図６に示したような像光が撮像される。なお、図６（Ａ）は対象物の表面で反射する表面反射光を、図６（Ｂ）は対象物の表面から若干対象物に入って反射する内部反射光の振る舞いを示している。
第２光源１３３Ｂから出た照明光は、封止板１３２Ｂを通過する。封止板１３２Ｂを通過しても、照明光は偏光化されない。ここまでは、図６（Ａ）、（Ｂ）で共通である。
封止板１３２Ｂを通過した照明光である第２照明光は、対象物Ｘに当たり、対象物Ｘからの像光となる。もとより偏光でないので、対象物の表面で反射してきた像光も、対象物Ｘの中に若干入り込んで反射してきた像光も、その偏光状態が乱れている。これら像光はともに、その中に含まれる偏光板１３２Ｃと偏光の方向が一致する成分が偏光板１３２Ｃを通過するので、少なくともその半分程度が偏光板１３２Ｃを通過する。
結果として、第２光源１３３Ｂが点灯しているときは、表面反射光も内部反射光も撮像されるので、対象物の艶有りの画像（反射像）が得られることになる。
【００３４】
上述のような理屈で、第１光源１３３Ａが点灯しているときは艶消しの、第２光源１３３Ｂが点灯しているときは艶有の画像が得られることになる。そして、これら画像がどのように動画になるかという点について説明する。
【００３５】
上述したように、撮像素子１３６は、図４に示したようなビデオ信号ｖを出力する。ビデオ信号ｖには、垂直同期信号ｖｓｙｎｃが含まれている。
ビデオ信号ｖは、第２垂直同期信号検出部１３７に送られる。第２垂直同期信号検出部１３７は、ビデオ信号ｖに含まれている垂直同期信号ｖｓｙｎｃを検出し、そのタイミングを照明切換部１３４に伝える。照明切換部１３４は、第２垂直同期信号検出部１３７から伝えられた垂直同期信号のタイミングに基づいて第１光源１３３Ａと第２光源１３３Ｂの点灯、消灯の制御を行う。
他方、ビデオ信号ｖは、信号線１３７Ａを介して第１垂直同期信号検出部１２２に送られる。第１垂直同期信号検出部１２２は、第２垂直同期信号検出部１３７と同様に垂直同期信号ｖｓｙｎｃを検出し、そのタイミングを出力制御部１２３に伝える。第２垂直同期信号検出部１３７と第１垂直同期信号検出部１２２は、同時に垂直同期信号ｖｓｙｎｃを検出するので、そのタイミングを伝えられる照明切換部１３４と出力制御部１２３のそれぞれが行う処理を、同期したものとすることが可能となる。
【００３６】
この実施形態では、出力制御部１２３は、図４に示したように、タイミング信号が検出されたとの通知を第１垂直同期信号検出部１２２から受取った瞬間毎に、スイッチングを行い、信号線１２２Ｂを介して受取ったビデオ信号ｖ中の各矩形波を１つずつ、信号線１２３Ａと信号線１２３Ｂに交互に振り分けていく。図４では、信号線１２３Ａに振分けられる矩形波の上に「１」の表示を、信号線１２３Ｂに振分けられる矩形波の上に「２」の表示をしている。信号線１２３Ａから第１出力端子１２１Ａ、ケーブルＣ１を介してディスプレイＤ１に向かうビデオ信号が、第１フレーム群に含まれることになるフレームのデータとなり、信号線１２３Ｂから第２出力端子１２１Ｂ、ケーブルＣ２を介してディスプレイＤ２に向かうビデオ信号が、第２フレーム群に含まれることになるフレームのデータとなる。
このようなデータの振分けは、概念的には、図３に示したように、ビデオ信号ｖを出力制御部１２３に送ってくる信号線１２２Ｂを、スイッチ１２３Ｓにより、交互に信号線１２３Ａと信号線１２３Ｂに接続することにより実現可能である。そのようなスイッチ１２３Ｓの切換は、例えばフリップフロップ回路を用いることにより実現可能である。
【００３７】
出力制御部１２３の上述の処理により生成される、信号線１２３Ａから第１出力端子１２１Ａ、ケーブルＣ１を介してディスプレイＤ１に向かうビデオ信号と、信号線１２３Ｂから第２出力端子１２１Ｂ、ケーブルＣ２を介してディスプレイＤ２に向かうビデオ信号はともに、元のビデオ信号ｖで再生される動画から半分フレームが落ちた動画をディスプレイＤ１又はディスプレイＤ２に表示させるものとなる。言い換えれば、それらは共に、元のビデオ信号ｖで再生される動画のフレームレートが半分になった動画をディスプレイＤ１又はディスプレイＤ２に表示させるようなビデオ信号となる。
【００３８】
上述の処理が行われているのと同時に、第２垂直同期信号検出部１３７から垂直同期信号を検出したタイミングを通知された照明切換部１３４は、以下のように動作する。照明切換部１３４は、タイミング信号が検出されたとの通知を第２垂直同期信号検出部１３７から受取る毎に、例えばその通知を受取った瞬間に、スイッチングを行い、第１光源１３３Ａと第２光源１３３Ｂを交互に点灯、消灯させる。具体的には、図４で示された矩形波のうち信号線１２３Ａに振分けられるもの（つまり第１フレーム群に振分けられるフレーム）が撮像されているときは第１光源１３３Ａが点灯して第２光源１３３Ｂが消灯した状態となり、図４で示された矩形波のうち信号線１２３Ｂに振分けられるもの（つまり第２フレーム群に振分けられるフレーム）が撮像されているときは第２光源１３３Ｂが点灯して第１光源１３３Ａが消灯した状態となるように、第１光源１３３Ａと第２光源１３３Ｂを制御する。これもスイッチの切換により実現できるが、そのようなスイッチの切換は、例えばフリップフロップ回路を用いることにより実現可能である。
これにより、第１フレーム群に振分けられるフレームが撮像素子１３６によって撮像される場合には第１光源１３３Ａが点灯し、第２フレーム群に振分けられるフレームが撮像素子１３６によって撮像される場合には第２光源１３３Ｂが点灯することになる。つまり、第１フレーム群に振分けられるフレームのデータによってディスプレイＤ１に表示される動画は艶消しの動画となり、第２フレーム群に振分けられるフレームのデータによってディスプレイＤ２に表示される動画は艶有りの動画となる。
医師はそれら２種類の動画をまとめて見ることにより、より正確な診断を行うことができるようになる。
【００３９】
なお、撮像素子１３６の種類によっては、あるフレームの撮像を行なってからそのフレームのデータを出力するまでに若干の遅延を生じる場合がある。そのような遅延があると、第２垂直同期信号検出部１３７が垂直同期信号を検出するタイミングと、実際に撮像素子１３６が撮像を行うタイミングとにずれが生じる可能性がある。これは、撮像素子１３６が撮像を行うタイミングと、第１光源１３３Ａと第２光源１３３Ｂの点灯、消灯のタイミングにずれが生じることを意味する。そのような場合には、第２垂直同期信号検出部１３７から照明切換部１３４までの間か、照明切換部１３４の内部に、撮像素子１３６があるフレームを撮像してからそのフレームのデータを出力するまでに生じる上述の遅延の時間分だけ照明の切換のタイミングを遅らせるための機構を設けておけばよい。例えば、所定の信号を上述の遅延の時間分だけ遅延させる遅延回路を設けておけば、それは容易に実現可能である。
【００４０】
なお、記録部１２４には、第１フレーム群のフレームのデータと第２フレーム群のフレームのデータが記録される。これらデータを用いて、ディスプレイＤ１とディスプレイＤ２に、リアルタイムで見られた上記２種類の動画をそれぞれ好きなときに表示させることもできるし、同じ動画を他のディスプレイに好きなときに表示させることも可能である。
【００４１】
＜変形例１＞
変形例１のビデオカメラは内視鏡であり、その殆どの部分は第１実施形態の内視鏡と変わらない。
異なるのは以下の点のみである。
第１実施形態における撮像素子は、プログレッシブ方式の描画をディスプレイＤ１、Ｄ２（以下、単に「Ｄ」とする場合がある。）にさせることができるようなビデオ信号を出力するものとなっていた。これに対しこの実施形態における撮像素子は、インタレース方式での描画をディスプレイＤにさせることができるようなビデオ信号を出力する。
ビデオ信号ｖは、図７に示したような波形となる。
ビデオ信号ｖに含まれる各矩形波は、第１実施形態のものとは異なり、ディスプレイＤの１フレーム分の画像ではなく、その奇数行目又は偶数行目の画像である。図７中Ｏの符号が付されている矩形波がディスプレイＤの奇数行目の走査線に対応するデータであり、Ｅの符号が付されている矩形波がディスプレイＤの偶数行目の走査線に対応するデータである。データＯとデータＥが一組となって、ディスプレイＤの走査線の奇数行目と偶数行目の描画がなされる。つまり、この変形例ではデータＯとデータＥが一組となって１フレーム分のデータとなる。
図示を省略するが、ビデオ信号ｖに含まれる各矩形波には、ディスプレイＤの奇数行目の走査線に対応するデータＯにも、ディスプレイＤの偶数行目の走査線に対応するデータＥにも、第１実施形態のビデオ信号ｖに含まれていたのと同様の垂直同期信号が含まれている。
【００４２】
変形例１では、ビデオ信号ｖが上述のようなものであることを前提としつつ、以下の２通りの処理が実現可能である。
１通り目の処理は以下のようなものである。
１通り目の処理は、変形例１におけるデータＯとデータＥのそれぞれを、第１実施形態における矩形波にそれぞれ対応したものとして取扱うというものである。この場合には、第１垂直同期信号検出部１２２、出力制御部１２３、第２垂直同期信号検出部１３７、照明切換部１３４で行なわれる処理はすべて第１実施形態の場合と同じになる。ただしその結果得られる第１フレーム群に含まれることになるフレームのデータは、それがディスプレイＤ１に表示させる動画が、ビデオ信号ｖにより動画を表示させたときと比較してフレームレートが半分になった動画となるようなデータではなく、それがディスプレイＤ１に表示させる動画が、ビデオ信号ｖにより動画を表示させたときと比較して走査線数（或いは画素数）が半分になった動画となるようなデータとなる。
他方、２通り目の処理は以下のようなものである。
２通り目の処理は、変形例１におけるデータＯとデータＥを一纏めにしたものを、第１実施形態における矩形波にそれぞれ対応したものとして取扱うというものである。この場合には、出力制御部１２３と、照明切換部１３４は垂直同期信号が２回検出される毎に、第１実施形態で説明したスイッチングの処理を実行することになる。これは例えば、第１垂直同期信号検出部１２２と、第２垂直同期信号検出部１３７をともに、垂直同期信号を２回検出する毎に第１実施形態で説明した垂直同期信号を検出したという通知を出力制御部１２３又は照明切換部１３４に送るようにするとともに、出力制御部１２３及び照明切換部１３４がその通知を受取る毎に第１実施形態で述べたスイッチングの処理を実行するようにするか、或いは、第１垂直同期信号検出部１２２と、第２垂直同期信号検出部１３７を、垂直同期信号を検出する毎に垂直同期信号を検出したという通知を送出するようにするとともに、出力制御部１２３及び照明切換部１３４を、その通知を２回受取る毎に第１実施形態で述べたスイッチングの処理を実行するようにすることにより、実現可能である。また、これらはいずれも、信号の数を２までカウントできるカウンタとカウンタのカウントに従い出力制御部１２３及び照明切換部１３４又は第１垂直同期信号検出部１２２及び第２垂直同期信号検出部１３７の動作を変更させる手段を第１垂直同期信号検出部１２２及び第２垂直同期信号検出部１３７か、出力制御部１２３及び照明切換部１３４に適宜配するだけで容易に実現可能である。
【００４３】
＜変形例２＞
変形例２のビデオカメラは内視鏡であり、その殆どの部分は第１実施形態の内視鏡と変わらない。
異なるのは以下の点のみである。
第１実施形態の出力制御部１２３は、図４に示したように、タイミング信号が検出されたとの通知を第１垂直同期信号検出部１２２から受取った瞬間毎に、スイッチ１２３Ｓのスイッチングを行い、信号線１２２Ｂを介して受取ったビデオ信号ｖ中の各矩形波を１つずつ、信号線１２３Ａと信号線１２３Ｂに交互に振り分けていくようになっていた。つまり、第１実施形態では、矩形波に対応するすべてのフレームを捨てることなく、第１フレーム群又は第２フレーム群に交互に振り分けることとしていた。
これに対し、この変形例の内視鏡の出力制御部１２３は、タイミング信号が検出されたとの通知を第１垂直同期信号検出部１２２から受取った瞬間のすべてでスイッチングを行うことはせず、ビデオ信号ｖに含まれる矩形波を、例えば、図８の（Ａ）〜（Ｃ）のように信号線１２３Ａと信号線１２３Ｂに振分けるようになっている。
【００４４】
図８（Ａ）の例は、ビデオ信号ｖに含まれる各矩形波を、「第１フレーム群」、「捨てる」（矩形波の上に「１」、「２」の記載がないもの）、「第２フレーム群」、「捨てる」、「第１フレーム群」、「捨てる」、「第２フレーム群」、「捨てる」…、の順番で信号線１２３Ａと信号線１２３Ｂに振分けるものとなっている。つまり、図８（Ａ）の例では、その出力制御部１２３が、ビデオ信号ｖに含まれる多数のフレームについてのデータから、一定の枚数置き（より正確には３枚置き）のフレームについてのデータを抜き出して第１フレーム群に含まれるフレームのデータとするとともに、第１フレーム群に含まれないフレームについてのデータから一定の枚数置き（より正確には３枚置き）のフレームについてのデータを抜き出して第２フレーム群に含まれるフレームのデータとするようになっている。
図８（Ｂ）の例は、ビデオ信号ｖに含まれる各矩形波を、「第１フレーム群」、「第２フレーム群」、「捨てる」、「第１フレーム群」、「第２フレーム群」、「捨てる」…、の順番で、信号線１２３Ａと信号線１２３Ｂに振分けるものとなっている。つまり、図８（Ｂ）の例では、その出力制御部１２３が、ビデオ信号ｖに含まれる多数のフレームについてのデータから、一定の枚数置き（より正確には２枚置き）のフレームについてのデータを抜き出して第１フレーム群に含まれるフレームのデータとするとともに、第１フレーム群に含まれないフレームについてのデータから一定の枚数置き（より正確には２枚置き）のフレームについてのデータを抜き出して第２フレーム群に含まれるフレームのデータとするようになっている。
図８（Ａ）、図８（Ｂ）の例はいずれも、ビデオ信号ｖに含まれる多数のフレームについてのデータの一部を捨てる場合であり、ビデオ信号ｖがインタレース方式の描画をディスプレイＤにさせるものであり、且つ変形例１におけるデータＯとデータＥのそれぞれを、第１実施形態における矩形波にそれぞれ対応したものとして取扱うのでなければ、第１フレーム群のフレームのデータ又は第２フレーム群のフレームのデータにより描画されることになる動画のフレームレートは、元のビデオ信号ｖによって描画されることになる動画のフレームレートの半分未満となる。
これらにおいて出力制御部１２３でスイッチ１２３Ｓが行うスイッチングはそれぞれ、図８（Ａ）の場合であれば、「信号線１２２Ｂを信号線１２３Ａと接続」、「信号線１２２Ｂを信号線１２３Ａと信号線１２３Ｂのいずれにも接続しない」、「信号線１２２Ｂを信号線１２３Ｂと接続」、「信号線１２２Ｂを信号線１２３Ａと信号線１２３Ｂのいずれにも接続しない」、「号線１２２Ｂを信号線１２３Ａと接続」、「信号線１２２Ｂを信号線１２３Ａと信号線１２３Ｂのいずれにも接続しない」、「信号線１２２Ｂを信号線１２３Ｂと接続」、「信号線１２２Ｂを信号線１２３Ａと信号線１２３Ｂのいずれにも接続しない」…という処理を繰り返すものとなる。図８（Ｂ）の場合であれば、「信号線１２２Ｂを信号線１２３Ａと接続」、「信号線１２２Ｂを信号線１２３Ｂと接続」、「信号線１２２Ｂを信号線１２３Ａと信号線１２３Ｂのいずれにも接続しない」、「信号線１２２Ｂを信号線１２３Ａと接続」、「信号線１２２Ｂを信号線１２３Ｂと接続」、「信号線１２２Ｂを信号線１２３Ａと信号線１２３Ｂのいずれにも接続しない」…という処理を繰り返すものとなる。
このようなスイッチ１２３Ｓのスイッチングは、カウンタ等を適宜用いれば周知技術により実現可能である。
【００４５】
他方、図８（Ｃ）の例は、ビデオ信号ｖに含まれる各矩形波を、「第１フレーム群」、「第２フレーム群」、「第１フレーム群」、「第１フレーム群」、「第２フレーム群」、「第１フレーム群」、「捨てる」、「第１フレーム群」、「第２フレーム群」、「第１フレーム群」、…、の順番で、信号線１２３Ａと信号線１２３Ｂに振分けるものとなっている。この場合には、第１フレーム群に振分けられたフレームのフレームレート、第２フレーム群に振分けられたフレームのフレームレートともに時間により変化することになる。
したがってこの例はそれほど有用ではない。本願発明によればこのような変形例も実現可能であるということである。
【００４６】
＜変形例３＞
変形例３のビデオカメラは内視鏡であり、その殆どの部分は第１実施形態の内視鏡と変わらない。
異なるのは以下の点のみである。
第１実施形態では、第２光源１３３Ｂの前にはそれを通過する光の偏光状態に影響を与えない封止板１３２Ｂが存在した。変形例３ではこの封止板１３２Ｂが、撮像素子１３６の前にある偏光板１３２Ｃとその偏光方向が同じである第２偏光板１３２Ｂ１に置き換えられている。
この場合にも以下の理由により第１光源１３３Ａが点灯した場合には艶消しの画像が、第２光源１３３Ｂが点灯した場合には艶有の画像が撮像素子１３６で撮像されることになる。
まず、第１光源１３３Ａが点灯している場合には、図９に示したような像光が撮像される。このときの表面反射光と内部反射光の振る舞いは、図５に示した場合と変わらない。なお、図９中の各記号の意味は図５に、図１０中の各記号の意味は図６にそれぞれ倣っている。
他方、第２光源１３３Ｂが点灯している場合には、図１０に示したような像光が撮像される。
第２光源１３３Ｂから出た照明光は、第２偏光板１３２Ｂ１を通過する。第２偏光板１３２Ｂ１を通過した照明光は、偏光板１３２Ｃの偏光方向と同じ方向に偏光化される。ここまでは、図１０（Ａ）、（Ｂ）で共通である。
第２偏光板１３２Ｂ１を通過した照明光である第２照明光は、対象物Ｘに当たり、対象物Ｘからの像光となる。対象物Ｘの表面で反射してきた像光は偏光を保っているが、その偏光方向が偏光板１３２Ｃの偏光方向と同じであるから偏光板１３２Ｃを通過する。他方、対象物Ｘの中に若干入り込んで反射してきた像光は、その偏光状態が乱れている。この内部反射光による像光は、その中に含まれる偏光板１３２Ｃと偏光の方向が一致する成分が偏光板１３２Ｃを通過するので、少なくともその半分程度が偏光板１３２Ｃを通過する。
結果として、第２光源１３３Ｂが点灯しているときは、表面反射光も内部反射光も撮像されるので、対象物の艶有りの画像が得られることになる。
以上のように、封止板１３２Ｂを、それを通過した光の偏光状態に影響を与える偏光板である第２偏光板１３２Ｂ１に変更しても、第１実施形態と同様の２種類の動画を撮像でき、その作用効果は保たれる。第２偏光板１３２Ｂ１の偏光方向は、第２光源１３３Ｂが撮像されるときの画像の暗さを無視すれば、理論上、偏光板１３２Ｃとその偏光方向が直交していなければ、第２光源１３３Ｂが点灯した場合に得られる画像を艶ありの画像とすることができる。
【００４７】
＜変形例４＞
変形例４のビデオカメラは内視鏡であり、その殆どの部分は第１実施形態の内視鏡と変わらない。
異なるのは以下の点のみである。
変形例４のビデオカメラの撮像部１３０を図１１に示す。
第１実施形態のビデオカメラは第１光源１３３Ａと第２光源１３３Ｂという２つの光源を備えていたが、変形例４では光源は、第１光源１３３Ａのみを残している。そしてこの第１光源１３３Ａは撮像中は点灯したままである。また、第１実施形態のビデオカメラでは第１光源１３３Ａと第２光源１３３Ｂという２つの光源が存在していた関係上、それらの前方に第１孔１３１Ａと第２孔１３１Bという２つの孔が存在していたが、第２光源１３３Ｂをなくした変形例４では第１孔１３１Ａのみを残し、第２孔１３１Ｂをなくしている。なお、第１孔１３１Ａには、第１偏光板１３２Ａではなく、封止板１３２Ｂが嵌められている。
また、変形例４のビデオカメラは、液晶板１３８を備えている。液晶板１３８は、第１光源１３３Ａから対象物までの光路上に存在する。液晶板１３８はそれに印加する電圧を変更することにより、偏光板として機能する第１状態と、それを透過する光の偏光状態に影響を与えない第２状態とを取ることができるようになっている。第１状態におけるその偏光方向は、偏光板１３２Ｃと直交する方向である。
また、第１実施形態の照明切換部１３４は、第１光源１３３Ａと第２光源１３３Ｂの点灯、消灯の切換を行ったが、変形例４の照明切換部１３４は、その代わりに、液晶板１３８の制御を行う。具体的には、変形例４の照明切換部１３４は、液晶板１３８が所定のタイミングで、第１状態から第２状態に、又は第２状態から第１状態に変化するように、液晶板１３８を制御する。
【００４８】
照明切換部１３４が液晶板１３８の状態を変化させるタイミングは、第１実施形態の場合と同様の方法で制御でき、変形例４では、第１実施形態において第１光源１３３Ａが点灯したのと同じ瞬間に液晶板１３８が第２状態から第１状態に変化し、第１実施形態において第２光源１３３Ｂが点灯したのと同じ瞬間に液晶板１３８が第１状態から第２状態に変化するようになっている。
液晶板１３８が第１状態を取っているときは、第１光源１３３Ａから出た光は、液晶板１３８を透過すると、その偏光方向が偏光板１３２Ｃと直交する方向である偏光となる。このときの液晶板１３８は、第１実施形態における第１偏光板１３２Ａと等価である。したがって、液晶板１３８を透過した第１光源１３３Ａからの照明光である第１照明光は、その後透過するのがそれを透過する光の偏光の状態に影響を与えない封止板１３２Ｂであることもあり、第１実施形態における第１照明光と等価なものとなる。
他方、液晶板１３８が第２状態を取っているときは、液晶板１３８を透過しても、第１光源１３３Ａから出た光は偏光していない。このときの液晶板１３８は、第１実施形態における封止板１３２Ｂと等価である。したがって、液晶板１３８を透過した第１光源１３３Ａからの照明光である第２照明光は、第１実施形態における第２照明光と等価なものとなる。
つまり、変形例４における第１照明光、第２照明光とも第１実施形態のときのそれと変わらないので、変形例４においても、艶消しの動画と艶有りの動画を撮像できることになる。
【００４９】
＜変形例５＞
変形例５のビデオカメラは内視鏡であり、その殆どの部分は第１実施形態の内視鏡と変わらない。
更に言えば、変形例５のビデオカメラは、変形例４のビデオカメラにかなり近いものになっている。
変形例５のビデオカメラの撮像部１３０を図１２に示す。
変形例５のビデオカメラは、変形例４のビデオカメラ同様、光源は、第１光源１３３Ａのみである。そしてこの第１光源１３３Ａは、変形例４の場合と同様、撮像中は点灯したままである。また、変形例５のビデオカメラでは、変形例４の場合と同様、第１孔１３１Ａは残っているが、第２孔１３１Ｂはない。第１孔１３１Ａに封止板１３２Ｂが嵌められている点も変形例４と同様である。
変形例５のビデオカメラは、また、後述するような移動を行う偏光板である移動偏光板１３９Ａを備えている。移動偏光板１３９Ａの偏光方向は、第１偏光板１３２Ａと同じであり、偏光板１３２Ｃの偏光方向とは直交している。移動偏光板１３９Ａは、実線で示した位置と、二点鎖線で示した位置との間で往復運動を行うようになっている。移動偏光板１３９Ａは、実線で示した位置にあるときは、第１光源１３３Ａからでる照明光の光路上に位置せず、二点鎖線で示した位置にあるときには、第１光源１３３Ａからでる照明光の光路上に位置する。なお、両位置、及びその間で、移動偏光板１３９Ａの偏光の方向は変化しないようになっている。
移動偏光板１３９Ａの移動を実現するのが、移動機構１３９Ｂである。移動機構１３９Ｂは所定のフレーム等で支持された移動偏光板１３９Ａを平行移動により往復させる。
【００５０】
第１実施形態の照明切換部１３４は、第１光源１３３Ａと第２光源１３３Ｂの点灯、消灯の切換を行ったが、変形例５の照明切換部１３４は、その代わりに、移動偏光板１３９Ａの移動のタイミングを制御させるべく、移動機構１３９Ｂを制御する。具体的には、変形例５の照明切換部１３４は、移動偏光板１３９Ａが所定のタイミングで、実線で示した位置から二点鎖線で示した位置に移動し、又は二点鎖線で示した位置から実線で示した位置に移動するように、移動機構１３９Ｂを制御する。
移動機構１３９Ｂが移動偏光板１３９Ａを移動させるタイミングは、第１実施形態の場合と同様の方法で、照明切換部１３４が制御する。変形例５では、第１実施形態において第１光源１３３Ａが点灯した時間帯に移動偏光板１３９Ａが二点鎖線で示した位置にあり、第１実施形態において第２光源１３３Ｂが点灯した時間帯に移動偏光板１３９Ａが実線で示した位置にあるように、照明切換部１３４が移動機構１３９Ｂを制御する。
移動偏光板１３９Ａが二点鎖線で記載した位置にあるときには、第１光源１３３Ａから出た光は、移動偏光板１３９Ａを透過すると、その偏光方向が偏光板１３２Ｃと直交する方向である偏光となる。このときの移動偏光板１３９Ａは、第１実施形態における第１偏光板１３２Ａと等価である。したがって、移動偏光板１３９Ａを透過した第１光源１３３Ａからの照明光である第１照明光は、その後透過するのがそれを透過する光の偏光の状態に影響を与えない封止板１３２Ｂであることもあり、第１実施形態における第１照明光と等価なものとなる。
他方、移動偏光板１３９Ａが実線で記載した位置にあるときには第１光源１３３Ａから出た光は、封止板１３２Ｂを透過するのみであるので偏光化されない。したがって、この場合、第１光源１３３Ａからの照明光である第２照明光は、第１実施形態における第２照明光と等価なものとなる。
つまり、変形例５における第１照明光、第２照明光とも第１実施形態のときのそれと変わらないので、変形例５においても、艶消しの動画と艶有りの動画を撮像できることになる。
【００５１】
＜変形例６＞
変形例６のビデオカメラは内視鏡であり、その殆どの部分は第１実施形態の内視鏡と変わらない。
更に言えば、変形例６のビデオカメラは、変形例５のビデオカメラと殆ど同じものになっている。
変形例５のビデオカメラは、移動偏光板１３９Ａの移動により、偏光である第１照明光と偏光でない第２照明光を作り出していたが、変形例６のビデオカメラでは、図１３に示した複合偏光板１４１の回転により、偏光である第１照明光と偏光でない第２照明光を作り出すこととしている。
複合偏光板１４１は、中心角９０度の扇形形状をした偏光板１４１Ａと、それを透過した光の偏光方向に影響を与えない、中心角９０度の扇形形状をした透過板１４１Ｂとを互い違いに２枚ずつ組合せて円形としたものである。複合偏光板１４１はその中心を貫く軸１４２に固定されている。軸１４２は、軸１４２を回転させるアクチュエータ１４３に接続されており、アクチュエータ１４３により回転させられる。それにより複合偏光板１４１は軸１４２周りに例えば一方向で回転する。
【００５２】
第１実施形態の照明切換部１３４は、第１光源１３３Ａと第２光源１３３Ｂの点灯、消灯の切換を行ったが、変形例６の照明切換部１３４は、その代わりに、複合偏光板１４１の回転の速さとその時点における位置を制御させるべく、アクチュエータ１４３を制御する。
アクチュエータ１４３が、複合偏光板１４１を回転させるスピードとある時点における位置は、第１実施形態の場合と同様の方法で、照明切換部１３４が制御する。変形例６では、第１実施形態において第１光源１３３Ａが点灯した時間帯に偏光板１４１Ａが第１光源１３３Ａの前にあり、第１実施形態において第２光源１３３Ｂが点灯した時間帯に透過板１４１Ｂが第１光源１３３Ａの前にあるように、照明切換部１３４がアクチュエータ１４３を制御する。
偏光板１４１Ａが第１光源１３３Ａの前にあるときには、第１光源１３３Ａから出た光は、偏光板１４１Ａを透過する。すると、照明光はその偏光方向が偏光板１３２Ｃと直交する方向である偏光となる。このときの偏光板１４１Ａは、第１実施形態における第１偏光板１３２Ａと等価である。したがって、偏光板１４１Ａを透過した第１光源１３３Ａからの照明光である第１照明光は、その後透過するのがそれを透過する光の偏光の状態に影響を与えない封止板１３２Ｂであることもあり、第１実施形態における第１照明光と等価なものとなる。
他方、透過板１４１Ｂが第１光源１３３Ａの前にあるときには第１光源１３３Ａから出た光は、透過板１４１Ｂを透過しても偏光化されず、また、その後封止板１３２Ｂを透過しても偏光化されない。したがって、この場合、第１光源１３３Ａからの照明光である第２照明光は、第１実施形態における第２照明光と等価なものとなる。
つまり、変形例６における第１照明光、第２照明光とも第１実施形態のときのそれと変わらないので、変形例６においても、艶消しの動画と艶有りの動画を撮像できることになる。
【００５３】
≪第２実施形態≫
第２実施形態のビデオカメラは、第１実施形態のビデオカメラと同様に内視鏡である。
第２実施形態のビデオカメラの構成は、図１４、１５に示すように、第１実施形態のビデオカメラの構成と殆ど変わらない。
第２実施形態のビデオカメラが第１実施形態のビデオカメラと端的に異なるのは、第２実施形態のビデオカメラは、ディスプレイＤ１とディスプレイＤ２という２台のディスプレイＤに接続された第１実施形態のビデオカメラとは異なり、ディスプレイＤ１という１台のディスプレイにのみ接続されるという点である。
第２実施形態のビデオカメラも、ビデオプロセッサボックス１２０と、その先端に撮像部１３０を備えるスコープ部１１０とを備えている。
【００５４】
第２実施形態における撮像部１３０、スコープ部１１０の構成は、第１実施形態の場合とまったく変わらない。また、第２実施形態におけるビデオプロセッサボックス１２０の構成も第１実施形態と殆ど変わらないが、ディスプレイＤ１のみとディスプレイが１台になったことに関連した変更が、ビデオプロセッサボックス１２０にはなされている。
第２実施形態のビデオプロセッサボックス１２０の第１実施形態のビデオプロセッサボックス１２０からの変更点は、端的に言えば、第２実施形態のビデオプロセッサボックス１２０が画像合成部１８８を備えている点にある。画像合成部１８８は、第１実施形態と同様の出力制御部１２３と、第１実施形態と同様の信号線１２３Ａ及び信号線１２３Ｂで接続されている。
出力制御部１２３からは、第１実施形態の場合と同様に、信号線１２３Ａを介して、第１フレーム群のフレームのデータが、信号線１２３Ｂを介して第２フレーム群のフレームのデータが出力される。画像合成部１８８は、第１フレーム群のフレームのデータと、第２フレーム群のフレームのデータとを受取り、それら２種類の動画を、１つのディスプレイに表示できるような動画データに合成する。
第２実施形態では、第１フレーム群のフレームのデータと、第２フレーム群のフレームのデータが、交互に画像合成部１８８に送られる。第１フレーム群のフレームのデータと、第２フレーム群のフレームのデータのどちらが先でも構わないが、この実施形態の画像合成部１８８は、先に受取ったフレームのデータと、その次に受取ったフレームのデータを、メモリ１８８Ａの一部にそれぞれ書き込む。このとき、両データにより本来描画されるフレームを、多少縮小する、或いはその一部を切り捨てるなどして、新たな一画面分のフレームに描画し直してもよい。これを連続して行うことにより、画像合成部１８８は、第１フレーム群のフレームにより本来ディスプレイに表示される画像と、第２フレーム群のフレームにより本来ディスプレイに表示される画像とを共に含んだ、新たな動画のデータを作成する。この動画のデータは、メモリ１８８Ａから、信号線１８９、第１出力端子１２１Ａ、ケーブルＣ１を介してディスプレイＤ１に出力される。
ディスプレイＤ１には、第１フレーム群のフレームにより本来ディスプレイに表示される画像の連続である第１動画M１と、第２フレーム群のフレームにより本来ディスプレイに表示される画像の連続である第２動画M２とを含む動画が表示される。そのような動画の例を、図１６に示す。
なお、第２実施形態のビデオプロセッサボックス１２０では、信号線１８９から、信号線１８９１が分岐している。信号線１８９１を介して、記録部１２４に、上記新たな動画のデータが記録される。
【００５５】
≪第３実施形態≫
第３実施形態のカメラもビデオカメラであるが、第１実施形態とは異なり内視鏡ではない。第３実施形態のビデオカメラは、手持ちタイプの拡大観察装置である。
また、第３実施形態のビデオカメラは、第１実施形態のビデオカメラが備えていたビデオプロセッサボックスを持たない。
【００５６】
図１７に示すように、拡大観察装置１６０は、手持ち可能な形状、大きさのケース１６１を備えている。ケース１６１は、第１実施形態のスコープ部１１０と同様にその内部に信号線１３７Ａを内包する柔軟なチューブ１１０Ｘによって、図外のディスプレイに直接接続されている。チューブ１１０の先端には、図示を省略のコネクタが接続されており、信号線１３７Ａはそのコネクタを介してディスプレイの入力用のコネクタに接続される。
第３実施形態のケース１６１の先端付近は、その先端に向かって細くなるようにテーパーが与えられており、その先端には孔１６２が開いている。この拡大観察装置１６０は、その先端の孔１６２の周囲を撮像対象物（より正確には、撮像対象物の若干外側）に当接させた状態で使用される。
ビデオカメラの焦点は孔１６２の内側に合うように調整されている。このビデオカメラは、孔１６２の周囲を撮像対象物に当接させることにより、手振れのない状態で、孔１６２の内側に位置した撮像対象物を、焦点の合った状態で撮像できるようになっている。
ケース１６１の後端には、孔１６３があるがこれは、第１実施形態の撮像部１３０の孔１３１Ｄと同様のものである。
また、ケース１６１の外面の、この実施形態では、後端近くに、操作ボタン１９１が設けられている。操作ボタン１９１は、この実施形態では押しボタンであり、それを押し込むことで操作信号の入力を行うことができる。操作信号の役割については後述する。
【００５７】
ケース１６１の内部には、第１光源１３３Ａと、第２光源１３３Ｂが設けられている。第１光源１３３Ａと、第２光源１３３Ｂは、第１実施形態におけるそれと同様のものとされている。
ケース１６１内には、また、レンズ１３５、撮像素子１３６、照明切換部１３４、及び入力受付部１９３が設けられている。照明切換部１３４と、第１光源１３３Ａ、及び第２光源１３３Ｂはそれぞれ、信号線１３４Ａ、１３４Ｂで接続されている。また、撮像素子１３６からは、上述の信号線１３７Ａが延びている。なお、第３実施形態のビデオカメラには、第２垂直同期信号検出部１３７はない。
これらのうち、レンズ１３５、撮像素子１３６の機能は第１実施形態におけるそれと変わらない。
他方、照明切換部１３４は、第１実施形態のそれとその機能が異なる。照明切換部１３４は、第１実施形態のそれとは異なり、第１光源１３３Ａと、第２光源１３３Ｂを自動的に点灯、消灯はさせない。第１光源１３３Ａと、第２光源１３３Ｂは、第１実施形態の場合と同様に、択一的に点灯するが、いずれが点灯するかは、操作ボタン１９１から入力された操作信号により制御される。操作ボタン１９１を操作することにより生成された操作信号は、上述の入力受付部１９１に入力されるようになっている。入力受付部１９１は操作信号の入力があったことを照明切換部１３４に通知する。この通知を受付けた照明切換部１３４は、それまで第１光源１３３Ａが点灯していたのであれば第１光源１３３Ａを消灯させるとともに、第２光源１３３Ｂを点灯させ、それまで第２光源１３３Ｂが点灯していたのであれば第２光源１３３Ｂを消灯させるとともに、第１光源１３３Ａを点灯させる。
第３実施形態のビデオカメラでは、第１光源１３３Ａの前に、第１偏光板１３２Ａが配置されている。また、レンズ１３５の前に、偏光板１３２Ｃが配置されている。第１偏光板１３２Ａと、偏光板１３２Ｃの構成、機能は第１実施形態の場合と同様である。たとえば、第１偏光板１３２Ａと、偏光板１３２Ｃの偏光方向は直交している。
【００５８】
第３実施形態のビデオカメラでは、第１光源１３３Ａが点灯しているときは、第１実施形態の場合と同様の理由で艶なしの無反射像がまた、第２光源１３３Ｂが点灯しているときは、第１実施形態の場合と同様の理由で艶ありの反射像が、撮像素子１３６にて撮像される。無反射像と反射像のいずれの撮像を行うかは、操作ボタン１９１の操作によってユーザが任意に切換える。
撮像素子１３６が生成したビデオ信号は、信号線１３７Ａを介して図外のディスプレイに送られる。ディスプレイには、そのビデオ信号に基づいて、撮像対象物の無反射像又は反射像が映し出される。
なお、第３実施形態のビデオカメラは、静止画を撮像できるようになっていても良く、また、静止画しか撮像できないようになっていてもよい。
【符号の説明】
【００５９】
１１０  スコープ部
１２０  ビデオプロセッサボックス
１２１  ケース
１２１Ａ  第１出力端子
１２１Ｂ  第２出力端子
１２２  第１垂直同期信号検出部
１２３  出力制御部
１２４  記録部
１３０  撮像部
１３２Ａ  第１偏光板
１３２Ｂ  封止板
１３３Ａ  第１光源
１３３Ｂ  第２光源
１３４  照明切換部
１３５  レンズ
１３６  撮像素子
１３７  第２垂直同期信号検出部
１６０  拡大観察装置
１６１  ケース
１６２  孔
１８８  画像合成部
１８１Ａ  メモリ
１２３Ｓ  スイッチ
ｖ  ビデオ信号
ｖｓｙｎｃ  垂直同期信号
【図１】
2014018439.tif 000003
【図２】
2014018439.tif 000004
【図３】
2014018439.tif 000005
【図４】
2014018439.tif 000006
【図５】
2014018439.tif 000007
【図６】
2014018439.tif 000008
【図７】
2014018439.tif 000009
【図８】
2014018439.tif 000010
【図９】
2014018439.tif 000011
【図１０】
2014018439.tif 000012
【図１１】
2014018439.tif 000013
【図１２】
2014018439.tif 000014
【図１３】
2014018439.tif 000015
【図１４】
2014018439.tif 000016
【図１５】
2014018439.tif 000017
【図１６】
2014018439.tif 000018
【図１７】
2014018439.tif 000019